(57)【要約】【課題】通ガス中の埋設活管の一部分を管路変更するに際し、小さな掘削面積で、しかも使用すべき部材の点数を削減して、特にバイパス管を使用することなしに、工事を行えるようにする。【解決手段】通ガス中のガス管２１に、管外との間での連通孔２７を有し、かつ間に新管２６がわたされた一対の分岐管２２、２３を接合する。ガス管２１の管壁を除去することで、ガス管２１と分岐管２２、２３とを連通させる。連通孔２７を介して、ガス管２１における分岐管２２の接合部よりも下流側の位置と分岐管２３の接合部より上流側の位置とにそれぞれ封止部材３３を挿入する。封止部材３３にて封止した状態で、ガス管２１における封止部材３３、３３どうしの間の部分を切断除去する。ガス管２１における各切断端部３７を閉止し、その後に封止部材３３、３３を連通孔２７から管外に取り出したうえで、連通孔２７を閉止する。【選択図】図１
2008281042.tif 000002
【特許請求の範囲】
【請求項１】
通ガス中の第１の管路に、管外との間での連通孔を有する第１の分岐管を接合するとともに、第１の管路における第１の分岐管の接合部よりも下流側の部分に、管外との間での連通孔を有する第２の分岐管を接合し、第１の分岐管と第２の分岐管との間に第２の管路をわたし、各分岐管の接合部における第１の管路の管壁を除去することで、第１の管路と各分岐管とを連通させ、各連通孔を介して、第１の管路の内部における第１の分岐管の接合部よりも下流側の位置に第１の封止部材を挿入するとともに、第１の管路における第２の分岐管の接合部より上流側の位置に第２の封止部材を挿入し、これら第１および第２の封止部材にて第１の管路を封止した状態で、第１の管路における第１の封止部材よりも下流側の部分と第２の封止部材よりも上流側の部分をそれぞれ切断して、第１の管路における切断部どうしの間の部分を除去し、第１の管路における各切断端部を閉止し、その後に各封止部材を連通孔から管外に取り出したうえで、各連通孔を閉止することを特徴とする活管分岐遮断工法。
【発明の詳細な説明】
【技術分野】
【０００１】
本発明は、通ガス中の活管の一部分を管路変更するための活管分岐遮断工法に関する。
【背景技術】
【０００２】
ガス管路においては、通ガス中の活管の一部分を管路変更することが必要になる場合がある。たとえば、図８において、１はガス管であり、団地などの需要者２のもとへ配管されている。この場合において、新たな団地すなわち新たな需要者３、４が生じ、これらの需要者３、４がガス管１の配管路に沿った位置に存在しないときには、ガス管１を、これらの需要者３、４の位置を通るように管路変更つまり敷設替えすることが必要である。しかしながら、この場合において、元の需要者２へのガスの供給を停止することなしに、新たな需要者３、４への管路５の敷設すなわち敷設替えを行うことが求められる。
【０００３】
このような場合に、従来においては、下記のような工法が採用されている。すなわち、図９（ａ）に示すように、ガス管１に沿って距離をおいた一対の位置に分岐管７、８をそれぞれ接合し、これら分岐管７、８どうしをバイパス管９でつなぐ、すると、ガス管１と並行して、バイパス管９によってもガスの供給が行われる。次に、図９（ｂ）に示すように、ガス管１における、上流側の分岐管７よりも下流側の部分と、下流側の分岐管８よりも上流側の部分とに、それぞれ開閉装置１０、１１を取り付ける。開閉装置１０、１１が取り付けられた位置では、ガス管１の内外が連通され、かつその連通部が開閉装置１０、１１によって開閉されるように構成されている。そして、開閉装置１０、１１の連通部を通して、各開閉装置１０、１１よりも上流側および下流側におけるガス管１の内部にそれぞれバッグ式の封止部材１２、１２を挿入し、そのバッグを膨らませることによってガス管１の封止を行う。これにより、開閉装置１０、１１の間におけるガス管１の部分にはガスが流れず、ガスは、バイパス管９のみを通って流れる。
【０００４】
この状態で、図９（ｃ）に示すように、開閉装置１０、１１どうしの間におけるガス管１の部分を切断して除去する。１３、１３は、その切断端部で、開閉装置１０、１１の近傍にそれぞれ形成されている。さらに、図９（ｄ）に示すように各切断端部１３、１３にエルボ１４を接続し、エルボ１４、１４どうしの間に新管１５をわたす。そして、図９（ｅ）に示すように開閉装置１０、１１を通してバッグ式の封止部材１２、１２を外部に取り出すとともに、各開閉装置１０、１１を閉じで外部へのガス漏れを防止する。これにより、バイパス管９と新管１５との両者によってガスを供給可能となる。最後に、図９（ｆ）に示すように分岐管７、８からバイパス管９を取り外してこれら分岐管７、８の分岐部を閉止することで、新管１５のみを用いた管路が敷設されることになる。
【０００５】
このように、ガス管の敷設替えを行うときに、分岐管とバイパス管と開閉装置とを用いたうえで、一対の開閉装置どうしの間で既設の管路を切断除去する工法として、たとえば特許文献１に記載されたものが知られている。
【特許文献１】特開２００６−１３８３６９号公報
【発明の開示】
【発明が解決しようとする課題】
【０００６】
ガス管は地中に埋設されていることが多いが、図９に示すような管路の敷設替えを行うためには、ガス管１の管路において、図９（ｄ）に示すように、分岐管７、８と開閉装置１０、１１とエルボ１４とを設置することを目的とした広い範囲１６、１６を掘削しなければならず、そのための作業が困難である。また、上記のように分岐管７、８とバイパス管９と開閉装置１０、１１とを用いなければならず、用いるべき部材が多岐にわたってしまう。
【０００７】
そこで本発明は、通ガス中の埋設活管の一部分を管路変更するに際し、小さな掘削面積で、しかも使用すべき部材の点数を削減して、特にバイパス管を使用することなしに、工事を行えるようにすることを目的とする。
【課題を解決するための手段】
【０００８】
この目的を達成するため本発明は、通ガス中の第１の管路に、管外との間での連通孔を有する第１の分岐管を接合するとともに、第１の管路における第１の分岐管の接合部よりも下流側の部分に、管外との間での連通孔を有する第２の分岐管を接合し、第１の分岐管と第２の分岐管との間に第２の管路をわたし、各分岐管の接合部における第１の管路の管壁を除去することで、第１の管路と各分岐管とを連通させ、各連通孔を介して、第１の管路の内部における第１の分岐管の接合部よりも下流側の位置に第１の封止部材を挿入するとともに、第１の管路における第２の分岐管の接合部より上流側の位置に第２の封止部材を挿入し、これら第１および第２の封止部材にて第１の管路を封止した状態で、第１の管路における第１の封止部材よりも下流側の部分と第２の封止部材よりも上流側の部分をそれぞれ切断して、第１の管路における切断部どうしの間の部分を除去し、第１の管路における各切断端部を閉止し、その後に各封止部材を連通孔から管外に取り出したうえで、各連通孔を閉止するものである。
【発明の効果】
【０００９】
本発明によれば、バイパス管や、このバイパス管を分岐させるための分岐管などを用いずに、第１の管路に新管としての第２の管路を接続するための分岐管と、この分岐管に設けられた連通孔を通って第１の管路の内部に挿入される封止部材とを用いるだけで、通ガス中の第１の管路の管路変更を行うことができる。また、上記のように分岐管と封止部材とを用いるだけであるため、第１の管路が埋設管路である場合に、大きな掘削面積を必要とせずに管路変更を行うことができる。
【発明を実施するための最良の形態】
【００１０】
図１（ａ）において、２１は第１の管路としてのガス管であり、地中に埋設されている。ガス管２１の一部分を敷設替えする際には、図示のように、ガス管２１において敷設替えしようとする部分の両端に、それぞれ分岐管２２、２３を接合する。ここでは、分岐管２２を上流側の第１の分岐管とし、分岐管２３を下流側の第２の分岐管とする。
【００１１】
分岐管２２、２３は、図２および図３に示すように構成されている。詳細には、分岐管２２、２３はガス管２１の外周に固定されるサドル部２４を有し、このサドル部２４と一体に分岐部２５が設けられている。分岐管２２、２３の分岐部２５には、第２の管路としての新管２６の一端部および他端部がそれぞれ接合されている。分岐管２５には、この分岐部２５の内部を分岐管２２、２３の外部と連通させる連通孔２７が設けられている。２８は、連通孔２７を開閉するためのシャッターである。
【００１２】
図３に示すように、連通孔２７は、ねじ合わせ式のキャップ２９によって閉止することが可能である。このキャップ２９を外せば、連通孔２７を管外に開口させることができる。図２に示すように、分岐管２２、２３には、キャップ２９に代えて、カッター装置３０を取り付けることができる。このカッター装置３０は、回転軸３１の先端に取り付けられたホールソー３２を有し、このホールソー３２は、連通孔２７を通って分岐管２２、２３の内部に入り込み、それによりガス管２１の側部の管壁を切除して、ガス管２１と分岐管２２、２３とを互いに連通させることが可能である。その後にカッター装置３０を分岐管２２、２３から取り外せば、シャッター２８によって連通孔２７を閉止することができる。なお、ガス管２１が磁性体である場合には、連通孔２７を通して管内に磁石を挿入することで、ガス管２１の管壁を切除した際に発生した切り屑や切り粉を吸着させて管外に排出することができる。
【００１３】
図１（ａ）は、上記のようにしてガス管１と分岐管２２、２３とが互いに連通されたうえで、連通孔２７がシャッター２８によって閉じられ、かつ分岐管２２、２３どうしの間に新管２６がわたされた状態を示す。この状態では、ガス管２１にガスが通されるとともに、新管２６にもガスが通される。
【００１４】
次に、図１（ｂ）に示すように、上流側の分岐管２２のシャッター２８を開き、連通孔２７を通したうえで、分岐管２２を経て、ガス管２１における分岐管２２よりも下流側の位置にバッグ式の封止部材３３を送り込む。そして、封止部材３３のバッグを膨らませることで、ガス管２１の内部を封止する。同様に、下流側の分岐管２３のシャッター２８を開き、連通孔２７と分岐管２３とを経て、ガス管２１における分岐管２３よりも上流側の位置にもバッグ式の封止部材３３を送り込んで膨らませ、その位置でガス管２１の内部を封止する。この状態で、分岐管２２、２３どうしの間では、新管２６にはガスが流れるがガス管２１にはガスは流れない。
【００１５】
上記のように、上流側の分岐管２２においてはこの分岐管２２よりも下流側の位置におけるガス管２１の内部にバッグ式の封止部材３３を送り込むことが必要であり、下流側の分岐管２３においてはこの分岐管２３よりも上流側の位置におけるガス管２１の内部にバッグ式の封止部材３３を送り込むことが必要である。このために、図４および図５に示す挿入ガイド３５を用いる。
【００１６】
この挿入ガイド３５は、その下部を分岐管２２、２３の外部から連通孔２７を経て分岐管２２、２３の内部に挿入できるパイプ状体にて構成され、その下端部には縦断面「し」の字形に形成された案内開口部３６が形成されている。そして、挿入ガイド３５をその軸心まわりに回転変位させることで、案内開口部３６をガス管２１における分岐管２２、２３よりも上流側や下流側に向けることが可能である。このため、封止部材３３を挿入ガイド３５の内部を通してその案内開口部３６からガス管２１の内部に送り込めば、この封止部材３３を確実に分岐管２２よりも下流側または分岐管２３よりも上流側に位置させることができる。
【００１７】
このようにしてガス管２１の内部が封止されたなら、図１（ｂ）に示すように、新管２６にガスを流しながら、上流側の分岐管２２を通って挿入された封止部材３３よりもすぐ下流側の位置と、下流側の分岐管２３を通って挿入された封止部材３３よりもすぐ上流側の位置とにおいて、それぞれガス管２１を切断する。３７は、その切断端部である。図示のように、ガス管２１における切断端部３７、３７どうしの間の部分は、必要に応じて取り除く。
【００１８】
次に、ガス管２１における各切断端部３７、３７を、図１（ｃ）に示すように栓体３８、３８で閉止する。その後にバッグ式の封止部材３３、３３をしぼませて管外へ取り出し、図１（ｄ）に示すように分岐管２２、２３のシャッター２８、２８を閉じる。これによって、分岐管２２、２３どうしの間におけるガスの流路を、ガス管２１から新管２６へ変更することができる。
【００１９】
この場合において、ガス管２１が地中に埋設されているときには、分岐管２２、２３およびその周囲のみを掘削するだけで工事を行うことができ、上述の図９（ｄ）に示した場合よりも狭い範囲３９を掘削するだけで良く、したがって容易に作業することができる。図６は、図９（ｄ）に示した広い範囲１６と、図１（ｃ）に示した狭い範囲３９とを対比して示す。また、バイパス管や、このバイパス管を敷設するための分岐管などを用いる必要がないため、少ない部材点数でガス管の敷設替えを行うことができる。しかも、ガスを通したままの活管状態での敷設替えが可能である。
【００２０】
なお、工事中はシャッター２８を開くことによってガス管２１の内外が連通するが、管内のガスが外部に漏れないように、各部に所要のシールを施しておくことが必要である。
【００２１】
本発明の方法は、図７に示すような、他工事にともなう切り廻し工事によって配管の位置を変更する必要が生じた場合に、適用することができる。すなわち図７（ａ）においてガス管２１を切り廻し工事によって新管２６に敷設替えすることが必要になった場合には、本発明にもとづき、既設のガス管２１に沿って、このガス管２１と同径の新管２６を敷設して、両方の管２１、２６にガスを通すことができる。この状態は、図１（ａ）に示す状態と同じである。４０はガス管２１から各ユーザへのガス供給管であるが、このガス供給管４０をガス管２１から順次新管２６に結び替えたうえで、図７（ｂ）に示すようにガス管２１を切断除去することで、容易にガス管の切り廻し工事を行うことができる。あるいは、ガス管２１の近傍に新管２６を敷設することで、経年管の入替工事に適用することができる。
【図面の簡単な説明】
【００２２】
【図１】本発明の実施の形態の活管分岐遮断工法を示す図である。
【図２】図１における分岐管の断面図である。
【図３】同分岐管の斜視図である。
【図４】本発明の工法において用いることができる挿入ガイドの使用状態を示す縦断面図である。
【図５】同挿入ガイドの使用状態を示す横断面図である。
【図６】本発明の活管分岐遮断工法と従来の工法との掘削必要面積を対比して示す図である。
【図７】本発明の方法を切り廻し工事に適用した例を示す図である。
【図８】通ガス中の活管の一部分を管路変更することが必要になる場合を例示した図である。
【図９】従来の活管分岐遮断工法を示す図である。
【符号の説明】
【００２３】
２１    ガス管
２２    分岐管
２３    分岐管
２６    新管
２７    連通孔
２８    シャッター
３３    封止部材
３７    切断端部
３８    栓体
３９    狭い範囲
【図１】
2008281042.tif 000003
【図２】
2008281042.tif 000004
【図３】
2008281042.tif 000005
【図４】
2008281042.tif 000006
【図５】
2008281042.tif 000007
【図６】
2008281042.tif 000008
【図７】
2008281042.tif 000009
【図８】
2008281042.tif 000010
【図９】
2008281042.tif 000011